(57)【要約】      （修正有）【課題】組立・解体が容易で、人手で搬送可能な重量の部品に分割でき、部品の製作精度や取付精度があまり高くなくても問題が生じない旋回式ジブクレーンを提供する。【解決手段】円管からなるポスト２と、それに旋回可能に取り付けられたブーム３と、ブームに沿って移動可能なチェーンブロック４とからなる旋回式ジブクレーン１であって、ポストは手持ちで搬送可能な重量の複数の円管２１、２２、２３を連結して構成され、ブームはそれぞれ手持ちで搬送可能な重量のＨ形鋼３１とＨ形鋼を底辺となす直角三角形を構成する２本の丸鋼３２、３３をピン結合することにより構成され、２本の丸鋼を相互にピン結合する連結部材３４とポストの先端部に設けた旋回軸２５とを結合するベアリングと、Ｈ形鋼のポスト側の端部に設けられポストの外面に接しながら回転する２個のローラ３５とを介して、ブーム３がポスト２に結合される。【選択図】図１
0003233335.tif 000002
【実用新案登録請求の範囲】
【請求項１】
円管からなるポストと、該ポストに旋回可能に取り付けられたブームと、該ブームに沿って移動可能に取り付けられたチェーンブロックとからなる旋回式ジブクレーンであって、
該ポストは手持ちで搬送可能な重量を有する複数の円管をボルト・ナット結合で連結して構成され、
該ブームは水平に配置されるＨ形鋼と該Ｈ形鋼を底辺となす直角三角形を構成する２本の丸鋼をピン結合することにより構成され、該Ｈ形鋼と該丸鋼がそれぞれ手持ちで搬送可能な重量を有する、設置が容易な旋回式ジブクレーン。
【請求項２】
請求項１記載の旋回式ジブクレーンであって、前記ブームが、２本の丸鋼を相互にピン結合する連結部材とポストの先端部に設けた旋回軸とを回転可能に結合するベアリングと、前記Ｈ形鋼の該ポスト側の端部に設けられて該ポストの外面に接しながら回転する２個のローラとを介して、該ポストに結合された旋回式ジブクレーン。
【考案の詳細な説明】
【技術分野】
【０００１】
本考案は、補修工事等において、揚重対象物より上部に揚重設備がない場合に設置して用いる揚重装置に関する。
【背景技術】
【０００２】
例えば、建屋内の天井クレーンの補修工事において数１００ｋｇ程度の部品を取り換えようとする際に、その天井クレーンより上に他の揚重設備がない場合には、部品取り換えのための揚重装置を仮設して作業を行うことになる。仮設する揚重装置としてはジブクレーンを用いることが多い。
【０００３】
特許文献１は、ビルの屋上階に設置される冷却塔の組み立て時に用いる仮設のジブクレーンに係る発明であり、特許文献２は、工場内で用いるジブクレーンに係る発明である。これらの比較的簡単な構成を有する従来型のジブクレーンは、図４に示すように、円管のポスト１０２と形鋼からなるブーム１０３の組み合わせからなり、ブームの端部には一般に「コラム」と呼称される円筒部１０５が固定されている。このコラムをポストの先端部に被せるように取り付けて、玉軸受等を間に設けることによりポストに対してブームが回転運動できる構造になっている。
【０００４】
このような構成の旋回式ジブクレーンは市販品としても入手できるが、定格荷重が数１００ｋｇのものであっても、その分割寸法が大きくて、分割された部品の単体重量が重い場合がほとんどである。天井クレーンの補修工事に使おうとすると、そのジブクレーンを所定位置まで上げるのに人手だけでは上げることができず、そのジブクレーンを揚げるための別の揚重設備が必要になってしまう。
【０００５】
このような市販の旋回式ジブクレーンのビームは形鋼のみで形成されており、その剛性のみで荷重を支えるので大きなサイズの形鋼を必要とし、かつ、コラムも一体化されているので、重量が大きくならざるを得ない。また、偏心荷重を受けるコラムがポストに対して円滑に回転できるように、両者の間には強い荷重に耐えられる玉軸受が設けられるので、部品の高い製作精度と、部品同士の高い取付精度が求められる。
【０００６】
また、補修工事などの中で仮設するためには、構造的に組み立てや解体が容易であるだけではなく、それを構成する部品の製作精度や部品同士の取付精度があまり高くなくても、機能的に問題が生じない構成であることが望ましい。
【先行技術文献】
【特許文献】
【０００７】
【特許文献１】特開平７−１６５３８８号公報
【特許文献２】特開２０１１−２４１０５８号公報
【非特許文献】
【０００８】
【非特許文献１】無し
【考案の概要】
【考案が解決しようとする課題】
【０００９】
解決しようとする課題は、組み立てや解体が容易であり、分割した構成部品の単品重量が人手で搬送可能な範囲にあり、部品の製作精度や部品同士の取付精度があまり高くなくても機能的に問題が生じないので設置が容易で、仮設にも適した旋回式ジブクレーンを提供することである。
【課題を解決するための手段】
【００１０】
請求項１の考案は、円管からなるポストと、該ポストに旋回可能に取り付けられたブームと、該ブームに沿って移動可能に取り付けられたチェーンブロックとからなる旋回式ジブクレーンであって、作業員が手持ちで搬送可能な重量を有するように分割された部品を結合することにより構成され、揚重対象物より上部に揚重設備がない場合にも容易に設置が予定される所定の場所まで運んで組み立てることができる。
【００１１】
そのために、該ポストは手持ちで搬送可能な重量を有する複数の円管をボルト・ナット結合で連結して構成される。一方、該ブームは水平に配置されるＨ形鋼と該Ｈ形鋼を底辺となす直角三角形を構成する２本の丸鋼をピン結合することにより構成され、該Ｈ形鋼と該丸鋼がそれぞれ手持ちで搬送可能な重量を有する。
【００１２】
特許文献１や特許文献２に記載されている従来型の形鋼のみからなるビームでは、揚重物、チェーンブロック等の揚重機器、および、ビームそのものの荷重によりビームに生じる曲げ応力とせん断力に対応できる大きな断面を持つ形鋼を必要とする。
【００１３】
本考案では、ブームを水平に配置されるＨ形鋼とそのＨ形鋼を底辺となす直角三角形を構成する２本の丸鋼をピン結合することにより構成することにより、Ｈ形鋼は両端で支持されるので同じ重量の揚重物と揚重機器を適用した場合の曲げ応力が大きく低減され、それに伴いＨ形鋼のサイズも小さくできるので、Ｈ形鋼そのものの重量も減る。一方、直角三角形を構成する２本の丸鋼には、軸方向の力しか生じないので軽量化できる。
【００１４】
すなわち、ブーム全体として力学的に合理的な構造とすることにより、Ｈ形鋼と２本の丸鋼は軽量化され、かつ、それらがピン結合により接続されるので、各々を設置が予定される所定の位置まで運んだ後、容易に組み立てることができる。
【００１５】
請求項２の考案では、従来のジブクレーンが、ポストの先端部とコラムの内側の間に設けられたベアリングによりポストに対するビームの回転運動が行われていたのに対し、２本の丸鋼を相互にピン結合する連結部材とポストの先端部に設けた旋回軸とを回転可能に結合するベアリングと、前記Ｈ形鋼の該ポスト側の端部に設けられて該ポストの外面に接しながら回転する２個のローラとにより、ポストに対するビームの回転運動が行われる。
【００１６】
２本の丸鋼は直接にではなく、連結部材を介して互いにピン結合されている。揚重物の荷重がかかっている状態にあっても、連結部材はその傾きをわずかに変えることは比較的に容易であるから、その連結部材をポストの先端部に設けた旋回軸にベアリングを介して結合すれば、旋回軸の垂直度や、ベアリングを介してそれに結合される２本の丸鋼側の連結部品の製作精度があまり高くなくても、また、それらの取付精度を気にしなくても、ビームはスムースに回転運動することができる。
【００１７】
一方、直角三角形の底辺をなすＨ形鋼は、揚重物、チェーンブロックなどの揚重機器、および、ビームそのものの荷重により生じた力によりポストの外面に押し付けられている。この力をＨ形鋼の端部に設けられてポスト外面に接しながら回転する２個のローラによりポストの伝えることにより、Ｈ形鋼はポストの周りをスムースに回転することができる。
２個のローラを介することにより、関連する部品製作精度があまり高くなくても、また、それらの取付精度を気にしなくても、ビームはスムースに回転運動することができるので、旋回式ジブクレーンとしての機能を十分に発揮することができる。
【考案の効果】
【００１８】
本考案の旋回式ジブクレーンは、組み立てや解体が容易であり、分割した構成部品の単品重量が手持ちで搬送可能な範囲にあり、かつ、部品の製作精度や部品同士の取付精度があまり高くなくても機能的に問題が生じない。その結果、設置が容易で、補修工事などにおいて仮設するのに適している。
【図面の簡単な説明】
【００１９】
【図１】実施例1の旋回式ジブクレーンの側面図である。
【図２】実施例1の旋回式ジブクレーンのＡ部の（ａ）側面図（一部断面図）と（ｂ）平面図である。
【図３】実施例1の旋回式ジブクレーンのＢ部の（ａ）側面図と（ｂ）平面図である。
【図４】比較的簡単な構成を有する従来型のジブクレーンの説明図である。
【考案を実施するための形態】
【００２０】
本考案の実施の形態について図面を参照して説明する。なお、本考案はかかる実施の形態には限定されず、本考案の範囲内でその具体的な構造に種々の変更を加えて良いことは言うまでも無い。また、説明に当たっては具体的な数値を添えるが、これは理解を容易にするためであり、本考案の内容を限定するものではない。
【実施例１】
【００２１】
本実施例の旋回式ジブクレーン１は、図１に示すように、円管からなるポスト２と、そのポストに旋回可能に取り付けられたブーム３と、ブームに沿って移動可能に取り付けられたチェーンブロック４とからなる。
【００２２】
ポスト２は、手持ちで搬送可能な重量を有する複数の円管２１、２２、および、２３をボルト・ナット結合２４で連結して構成される。一方、ブーム３は、水平に配置されるＨ形鋼３１とそのＨ形鋼を底辺となす直角三角形を構成する２本の丸鋼３２、３３をピン結合することにより構成され、そのＨ形鋼と各丸鋼がそれぞれ手持ち可能な重量を有する。
【００２３】
ここで、「手持ち可能な重量」とは、作業員２名で運びあげることを考えると、おおよそ５０ｋｇ以下の重量である。しかし、直角三角形をなすブームを支えるために必要な長さを要するポールの最上段部２１や、ポールの基礎部２３にあっては、搬送方法に工夫をすることにより多少５０ｋｇを超えても対応ができよう。
【００２４】
吊り上げ能力４９０ｋｇ、ポスト中心からチェーンブロックのフックまでの水平距離が３，０００ｍｍの本実施例の旋回式クレーンの場合、ブーム３は、高さ１５０ｍｍ、幅７５ｍｍ、ウエブ厚さ５ｍｍ、フランジ厚さ７ｍｍのＨ形鋼、直角三角形の斜辺をなす直径２２ｍｍの丸鋼、そして、Ｈ形鋼と直角に交わる直径１２ｍｍの丸鋼により構成される。それぞれの重量は、Ｈ形鋼が５０ｋｇ，直径２２ｍｍ丸鋼が１０ｋｇ、そして、直径１２ｍｍの丸鋼が１ｋｇであり、いずれも手持ち可能な重量に収めることができる。
【００２５】
これらの分割された部品を、所定の位置に運びあげたあと、ボルト・ナット結合、あるいは、ピン結合で結合すればよいので、組み立てや解体が極めて容易に行いうる。したがって、設置が容易で、特に仮設で使用するのに適している。
【００２６】
さらに、本実施例の旋回式ジブクレーンにあっては、ブーム３が、図２に示すように、２本の丸鋼３２と３３を相互にピン結合する連結部材３４と、ポストの先端部に設けた旋回軸２５とがベアリング２６（ラジアルベアリング２６ａとスラストベアリング２６ｂ）により回転可能に結合される。
【００２７】
また、図３に示すように、Ｈ形鋼３１のポスト側の端部は、そこに設けられてポストの外面に接しながら回転する２個のローラ３５ａ、３５ｂによりポストに回転可能に結合される。
【００２８】
ローラ３５ａ、３５ｂは、Ｈ形鋼の端部にそれぞれ溶接で固定された上部支持板３６ａと下部支持板３６ｂの間に回転可能に取り付けられ、Ｈ形鋼からポールに向かって働く力によりポールの最上段部２１に押し当てられている。ブーム３が旋回すると、Ｈ形鋼３１の動きに従ってローラ３５ａ、３５ｂは回転しながらポール２１の外面に沿って移動するので、極めてスムースにブームを旋回させることができる。
【００２９】
万一の場合に備えて、ポール２１の外周を取り巻くように外れ防止用ガイド３７がもうけられて、下部支持板３６ｂにより支持されている。
【００３０】
一方、ローラ３５ａ、３５ｂを介してＨ形鋼３１からポールに働く力に抗するために、ポールの最上段部２１のローラ３５ａ、３５ｂが当たる高さの内面には、補強版３８が設けられている。補強版３８はポール最上段部２１の内面に挿入して取り付けるために、４枚の板材３８ａ、３８ｂ，３８ｃ、および、３８ｄにより構成され、その各々を最上段２１の下部より挿入してポール最上段２１の内面に溶接した後、相互に溶接されて一体化される。
【００３１】
図２に示すように、２本の丸鋼３２、３３は連結部材３４を介して互いにピン結合されている。この構成をとることにより、ブーム３に揚重物の荷重がかかっている状態にあっても、連結部材は３４その傾きをわずかに変えることは容易であるから、その連結部材３４をポストの先端部に設けた旋回軸２５にベアリング２６ａ、２６ｂを介して結合すれば、旋回軸の垂直度や、ベアリングを介してそれに結合される２本の丸鋼側の連結部品３４の製作精度があまり高くなくても、また、それらの取付精度を気にしなくても、ビーム３はスムースに回転運動することができる。
【００３２】
一方、直角三角形の底辺をなすＨ形鋼３１は、揚重物、チェーンブロックなどの揚重機器、および、ビームそのものの荷重により生じた力によりポストの外面に押し付けられている。この力をＨ形鋼の端部に設けられてポスト最上段２１の外面に接しながら回転する２個のローラ３５ａ、３５ｂによりポストの伝えることにより、Ｈ形鋼はポストの周りをスムースに回転することができる。２個のローラを介することにより、関連する部品製作精度があまり高くなくても、また、それらの取付精度を気にしなくても、ビームはスムースに回転運動することができるので、旋回式ジブクレーンとしての機能を十分に発揮することができる。
【産業上の利用可能性】
【００３３】
本考案の旋回式ジブクレーンは、組み立てや解体が容易であり、分割した構成部品の単位重量が手持ちで搬送可能な範囲にあり、かつ、部品の製作精度や部品同士の取付精度があまり高くなくても機能的に問題が生じない。その結果、補修工事などにおいて仮設するのに適しているが、それだけではなく取付工事に制約のある場所での常設の旋回式ジブクレーンとして大いに適用が期待される。
【符号の説明】
【００３４】
１      実施例１の旋回式ジブクレーン
２      ポスト
２１、２２、２３    ポストを構成する円管
２５    ボルト・ナット結合
２６    ベアリング
３      ブーム
３１    Ｈ形鋼
３２、３３    丸綱
３４    連結部材
３５ａ、３５ｂ    ローラ
３６ａ    上部支持板
３６ｂ    下部支持板
３７    外れ防止用ガイド
３８    補強板
４      チェーンブロック
【図１】
0003233335.tif 000003
【図２】
0003233335.tif 000004
【図３】
0003233335.tif 000005
【図４】
0003233335.tif 000006